(57)【要約】【課題】パンツを提供することを課題とする。【解決手段】パンツ（１０）であって、パンツ本体（１００）と前当て布（２００）とを含む。パンツ本体（１００）は、第１布体（１１０）と第２布体（１２０）とを備える。第１布体（１１０）と第２布体（１２０）とが互いに縫着され、かつウエスト開口部（１３０）及び左右のレッグ開口部（１４０）を構成する。着用者の腿部がウエスト開口部（１３０）から着用方向（Ａ１）に沿ってこれらレッグ開口部（１４０）に向けて挿入する。前当て布（２００）は、第１接合側（２００Ｅ１）と第２接合側（２００Ｅ２）とを備える。第１接合側（２００Ｅ１）は、第１布体（１１０）内側上縁の第１接合ゾーン（Ｒ１）に接合し、第２接合側（２００Ｅ２）が第２布体（１２０）の第２接合ゾーン（Ｒ２）に接合する。第２接合ゾーン（Ｒ２）からパンツ本体（１００）の表面に沿って第１布体の上縁（１１２）までの距離（Ｄ１）は、第２接合ゾーン（Ｒ２）からパンツ本体（１００）の表面に沿って第２布体の上縁（１２２）までの距離（Ｄ２）より大きい。着用方向（Ａ１）において第１布体の底縁（１１４）からウエスト開口部（１３０）までの距離（Ｌ1）は、第２接合ゾーン（Ｒ２）からウエスト開口部（１３０）までの距離（Ｌ2）より大きい。よって、性器の全体的な通気性、性器の固定や支持効果及び製造コストに配慮できる。【選択図】図１
2019502841.tif 000002
【特許請求の範囲】
【請求項１】
第１布体と第２布体とを備え、前記第１布体と前記第２布体とが互いに縫着され、かつウエスト開口部及び左右のレッグ開口部を構成し、着用者の腿部が前記ウエスト開口部から着用方向に沿って前記レッグ開口部に向けて挿入するパンツ本体と、
第１接合側と第２接合側とを備え、前記第１接合側が前記第１布体内側上縁の第１接合ゾーンに接合し、前記第２接合側が前記第２布体の第２接合ゾーンに接合する前当て布と、
を含むパンツであって、
前記第２接合ゾーンから前記パンツ本体の表面に沿って前記第１布体の上縁までの距離を第１距離とし、前記第２接合ゾーンから前記パンツ本体の表面に沿って前記第２布体の上縁までの距離を第２距離とし、前記第１距離が前記第２距離より大きく；
前記パンツ本体が畳まれた状態の時、前記第１布体の前記着用方向における底縁から前記ウエスト開口部までの距離を第１長さとし、前記第２布体の前記着用方向における底縁から前記ウエスト開口部までの距離を第２長さとし、前記着用方向において前記第２接合ゾーンから前記ウエスト開口部までの距離を第３長さとし、前記パンツ本体が前記畳まれた状態から開く方向に沿って着用状態までに開いた時、前記第１布体の前記着用方向における底縁から前記ウエスト開口部までの距離を第４長さとし、前記第２布体の前記着用方向における底縁から前記ウエスト開口部までの距離を第５長さとし、前記着用方向において前記第２接合ゾーンから前記ウエスト開口部までの距離を第６長さとし；
前記第１長さは、前記第３長さより大きく、前記第４長さが前記第６長さより大きいか又は等しく；
前記着用方向は、前記開く方向と互いに垂直となる、
ことを特徴とするパンツ。
【請求項２】
前記第２布体の前記第２接合ゾーンは、前記第２布体の後縁に位置し、前記前当て布の前記第２接合側及び前記第１布体の後縁に縫着されることを特徴とする請求項１に記載のパンツ。
【請求項３】
前記第１布体は、少なくとも２つの通気部を備え、前記通気部が前記第１布体の前記前当て布に対向する両側に設けられ、複数の通気孔を備え、前記畳まれた状態の時、前記通気部は前記第１布体の前縁に露出され、前記着用状態の時、前記通気部が前記第１布体の前縁及び底縁に露出されることを特徴とする請求項２に記載のパンツ。
【請求項４】
前記前当て布は、前記第１布体で形成された投影ゾーンにおいて少なくとも一部の前記通気部をカバーすることを特徴とする請求項３に記載のパンツ。
【請求項５】
各前記通気部は、第１縫着ライン及び第２縫着ラインを通じて前記第１布体に縫製され、前記第１縫着ラインの縫製曲率が前記第２縫着ラインの縫製曲率より大きく、前記第１縫着ラインと前記第２縫着ラインが両端点に交差し、前記通気部の前記第２縫着ラインは前記第１縫着ラインの外側に位置し、かつ前記第１縫着ライン間の最小間隔が第１間隔となり、各前記第１縫着ラインと対応する前記第２縫着ラインとの間の最大間隔が第２間隔とし、前記第１間隔の幅は前記第２間隔の１．１〜１．５倍とすることを特徴とする請求項４に記載のパンツ。
【請求項６】
前記パンツ本体が、前記畳まれた状態の時、前記第１長さは前記第２長さより大きくなり、また前記パンツ本体が前記畳まれた状態から前記開く方向に沿って前記着用状態までに開いた時、前記第４長さは前記第５長さより大きいか又は等しいことを特徴とする請求項２に記載のパンツ。
【請求項７】
前記パンツ本体が前記畳まれた状態の時、前記第１長さは前記第２長さより大きく、かつ前記第２長さが前記第３長さより大きいか又は等しく、前記パンツ本体が前記着用状態の時、前記第４長さは前記第５長さより大きいか又は等しく、かつ前記第５長さが前記第６長さより大きいか又は等しいことを特徴とする請求項６に記載のパンツ。
【請求項８】
前記パンツ本体が前記畳まれた状態の時、前記前当て布と前記第１布体との間に第１収容空間を有し、前記パンツ本体が前記着用状態の時、前記前当て布と前記第１布体との間に第２収容空間を有し、前記第２収容空間は前記第１収容空間より大きいことを特徴とする請求項１に記載のパンツ。
【請求項９】
前記パンツ本体が前記畳まれた状態の時、前記第１収容空間は前記着用方向において前記第１長さを有し、前記開く方向において第１幅を有し、前記パンツ本体が前記着用状態に開いた時、前記第２収容空間は前記着用方向において前記第４長さを有し、前記開く方向において第２幅を有し、前記第１長さは前記第４長さより大きく、前記第１幅が前記第２幅より小さく、また前記第１幅は前記畳まれた状態の時、前記開く方向において前記前当て布から前記第１布体までの最大距離とし、前記第２幅が前記着用状態の時、前記開く方向において前記前当て布から前記第１布体までの最大距離とすることを特徴とする請求項８に記載のパンツ。
【請求項１０】
前記畳まれた状態は、前記第１布体全体が前記第２布体全に近くに寄せた状態であり、前記第１布体が前身頃布であり、前記第２布体が後身頃布であることを特徴とする請求項１に記載のパンツ。
【請求項１１】
前記第１布体は、少なくとも２つの通気部を備え、前記通気部が前記第１布体の前記前当て布に対向する両側に設けられ、複数の通気孔を備え、前記畳まれた状態の時、前記通気部は前記第１布体の前縁に露出され、前記着用状態の時、前記通気部が前記第１布体の前縁及び底縁に露出されることを特徴とする請求項１に記載のパンツ。
【請求項１２】
前記前当て布は、前記第１布体で形成された投影ゾーンにおいて少なくとも一部の前記通気部をカバーすることを特徴とする請求項１１に記載のパンツ。
【請求項１３】
各前記通気部は、第１縫着ライン及び第２縫着ラインを通じて前記第１布体に縫製され、前記第１縫着ラインの縫製曲率が前記第２縫着ラインの縫製曲率より大きく、前記第１縫着ラインと前記第２縫着ラインが両端点に交差し、前記通気部の前記第２縫着ラインは前記第１縫着ラインの外側に位置し、かつ前記第１縫着ライン間の最小間隔が第１間隔となり、各前記第１縫着ラインと対応する前記第２縫着ラインとの間の最大間隔が第２間隔とし、前記畳まれた状態の時、前記着用方向において前記第１布体の底縁から前記第１布体の後縁までの距離は第７長さとし、前記第１間隔の幅が前記第２間隔の１．１〜２倍とし、かつ前記第７長さが前記第１間隔の長さの１〜２．５倍とすることを特徴とする請求項１１に記載のパンツ。
【請求項１４】
前記前当て布は、弾性被覆部と２つの弾性帯とを含み、前記弾性被覆部が弾性メッシュ生地であり、前記弾性帯が各々前記弾性被覆部の両側に縫製され、前記第１接合側は前記弾性被覆部の前縁に位置し、前記第２接合側が前記弾性被覆部の後縁に位置し、前記弾性被覆部が前記第１接合ゾーンと前記第２接合ゾーンとの間に収めて円弧状ポケットを形成することで、男性器を包み込み、固定、支え、かつ前記弾性帯の弾性係数は前記弾性被覆部の弾性係数より大きいことを特徴とする請求項１〜１３のいずれか一項に記載のパンツ。
【請求項１５】
前記第１距離の長さは、前記第２距離の１．０５〜１．５倍とすることを特徴とする請求項１〜１３のいずれか一項に記載のパンツ。
【発明の詳細な説明】
【技術分野】
【０００１】
本発明は、パンツに関し、特に、前当て布を具えたパンツに関する。
【背景技術】
【０００２】
現代人の生活の質に対する要求が日増しに高まるにつれ、人々の毎日の生活必需品の快適性に対する要求を満たすため、各種肌着の設計も絶え間なく改良や進化してきた。特に、男性下着について言うと、男性の性器の構造により男性用下着の設計の進化は、終始一貫して消費者のニーズを満たすのが難しく、一貫して多くの欠点が存在していた。
【０００３】
男性用ブリーフ型パンツについて言うと、性器を固定させることができるが、全体的な被覆設計では、通気性が低くなり、衛生面にも問題がある。トランクス型パンツは、通気性が低いという欠点をやや解決できるが、容易に男性器が下着の中で安定せず、性器を効果的に固定及び支えることができず、特に効果的に陰嚢の重量を支えることができていなかった。
【０００４】
次に、男性器は、生理的な要因により寸法や体積が変化し、男性着用者が着用していた時、下着前部の外観が明らかに突出して、更に服装の上からも股間の膨らみが目立ってしまい、非常に恥ずかしくなる。
【０００５】
特許文献１で開示されている男性用パンツは、性器収納用ポケット部で陰茎を収納すると共に固定することを開示している。しかしながら、該設計は、陰嚢の重量を効果的に支えることができていない。また、該設計は、やはり従来のパンツ布地で陰茎を包み込むもので、陰茎について通気空間が設計されていないため、該技術では性器全体の通気性を提供できていない。
【０００６】
特許文献２は、吸汗分離層及び陰嚢収納室を提出して衛生面の問題及び通気性が低いという課題の解決を開示した。しかしながら、これもやはり陰茎について通気空間が設計されていないため、陰嚢重量を支える設計も開示されていない。
【０００７】
特許文献３は、陰嚢陰茎と陰嚢を包み込むため、下着本体の陰茎と陰嚢を収納する位置に立体通気カップが増設されている。しかしながら、該立体通気カップが弾性を持っていないため、性器の収納空間の制限が起きやすく、快適な着用感を提供できていない。
【０００８】
特許文献４は、内側当て布を備えたパンツが開示されているが、しかしながら、該内側当て布は、性器を完全に覆うため、該内側当て布がトランクス型パンツ内に縫製されたブリーフとして見ることができ、性器全体の通気性が提供できていない。また、該内側当て布は、性器を納める十分な収納空間を提供できず、かつ性器を支える設計が提供されていない。
【０００９】
特許文献５は、男性用下着内において男性器を支えるサポート部材を開示している。しかしながら、該設計もやはり従来の布地で性器を包み込んでいるため、性器全体の通気性が提供できていない。また、該サポート部材は、性器の一部支持力を提供できるが、下着本体ではやはり性器を納める十分な収納空間を提供できず、更に男性の生理的な要因により、股間の膨らみが目立つという状況を解決できていない。
【００１０】
特許文献６は、内側当て布を備えた下着も開示され、該内側当て布が男性器を支えるために用いられる。同様に、該設計も従来の下着布地で性器が包み込まれているため、性器全体の通気性を提供できない。また、該内側当て布は、性器部分の支持力を提供できるが、該下着本体でも性器を納める十分な収納空間を提供できず、更に男性の生理的な要因により、股間の膨らみが目立つという状況を解決できていない。
【００１１】
特許文献７は、内側当て布を備えた下着が更に開示され、該内側当て布は、陰嚢ポケットと組み合わせて男性器を収納すると共に支持する。同様に、該内側当て布に陰嚢ポケットを組み合わせた設計は、性器に一部の支持力を提供できるが、該下着本体でも性器を納める十分な収納空間を提供できず、更に男性の生理的な要因により、股間の膨らみが目立つという状況を解決できていない。また、該技術は、内側当て布上に開口部が形成され、また開口部に通気孔を備えた陰嚢ポケットを縫製して性器を支持するものとなっているが、該製造工順が比較的煩雑で、かつ手間がかかる。次に、該設計は、陰嚢の支持及び通気の効果を提供しているが、やはり陰茎収容箇所の通気性に配慮できていない。
【００１２】
上述からも分かるように、現行の男性用パンツは、性器の全体的な通気性、性器の固定や支持効果及び製造コストに配慮しておらず、かつ性器を納める十分な収納空間を提供できず、更に男性の生理的な要因により、股間の膨らみが目立つという状況を解決できていない。よって、改善の必要性があった。
【先行技術文献】
【特許文献】
【００１３】
【特許文献１】日本特許第ＪＰ２００７−０７０７８５号
【特許文献２】中国特許第ＣＮ２０１４７９９３５号
【特許文献３】中国特許第ＣＮ２０２８５７８３９号
【特許文献４】米国特許第ＵＳ２４４６３２６号
【特許文献５】米国特許第ＵＳ６８２０２８４号
【特許文献６】米国特許ＵＳ６８２０２８４
【特許文献７】米国特許ＵＳＳ／０２３５３９９
【発明の概要】
【発明が解決しようとする課題】
【００１４】
本発明の主な目的は、性器の全体的な通気性、性器の固定や支持効果及び製造コストに配慮し、かつ性器を納める十分な収納空間を提供できることで、男性の生理的な要因により、股間の膨らみが目立つという状況を解決できるパンツを提供することにある。
【課題を解決するための手段】
【００１５】
上記目的を達成するため、本発明はパンツ本体と前当て布とを含むパンツを提供するものである。パンツ本体は、第１布体と第２布体とを備える。該第１布体と該第２布体とが互いに縫着され、かつウエスト開口部及び左右のレッグ開口部を構成し、着用者の腿部が該ウエスト開口部から着用方向に沿ってこれらレッグ開口部に向けて挿入する。前当て布は、第１接合側と第２接合側とを備え、該第１接合側が該第１布体内側上縁の第１接合ゾーンに接合し、該第２接合側が該第２布体の第２接合ゾーンに接合する。
【００１６】
本発明において、該第２接合ゾーンから該パンツ本体の表面に沿って該第１布体の上縁までの距離を第１距離とし、該第２接合ゾーンから該パンツ本体の表面に沿って該第２布体の上縁までの距離を第２距離とし、該第１距離が該第２距離より大きい。
【００１７】
前記に続き、該パンツ本体が畳まれた状態の時、該第１布体の該着用方向における底縁から該ウエスト開口部までの距離を第１長さとし、該第２布体の該着用方向における底縁から該ウエスト開口部までの距離を第２長さとし、該着用方向において該第２接合ゾーンから該ウエスト開口部までの距離を第３長さとし；該パンツ本体が該畳まれた状態から開く方向に沿って着用状態までに開いた時、該第１布体の該着用方向における底縁から該ウエスト開口部までの距離を第４長さとし、該第２布体の該着用方向における底縁から該ウエスト開口部までの距離を第５長さとし、該着用方向において該第２接合ゾーンから該ウエスト開口部までの距離を第６長さとする。前記着用方向は、実質的に該開く方向と互いに垂直となり、かつ該第１長さが該第３長さより大きく、該第４長さが該第６長さより大きいか又は等しい。
【００１８】
該第２布体の該第２接合ゾーンは、該第２布体の後縁に位置し、該前当て布の該第２接合側及び該第１布体の後縁に縫着される。
【００１９】
該第１布体は、少なくとも２つの通気部を備え、該通気部が該第１布体の該前当て布に対向する両側に設けられ、複数の通気孔を備え、該畳まれた状態の時、該通気部は該第１布体の前縁に露出され、該着用状態の時、該通気部が該第１布体の前縁及び底縁に露出される。
【００２０】
該前当て布は、該第１布体で形成された投影ゾーンにおいて少なくとも一部の該通気部をカバーする。
【００２１】
各該通気部は、第１縫着ライン及び第２縫着ラインを通じて該第１布体に縫製され、該第１縫着ラインの縫製曲率が該第２縫着ラインの縫製曲率より大きく、該第１縫着ラインと該第２縫着ラインが両端点に交差し、該通気部の該第２縫着ラインは該第１縫着ラインの外側に位置し、かつ該第１縫着ライン間の最小間隔が第１間隔となり、各該第１縫着ラインと対応する該第２縫着ラインとの間の最大間隔が第２間隔とし、該第１間隔の幅は該第２間隔の１．１〜１．５倍とする。
【００２２】
該パンツ本体が、該畳まれた状態の時、該第１長さは該第２長さより大きくなり、また該パンツ本体が該畳まれた状態から該開く方向に沿って該着用状態までに開いた時、該第４長さは該第５長さより大きいか又は等しい。
【００２３】
該パンツ本体が該畳まれた状態の時、該第１長さは該第２長さより大きく、かつ該第２長さが該第３長さより大きいか又は等しく、該パンツ本体が該着用状態の時、該第４長さは該第５長さより大きいか又は等しく、かつ該第５長さが該第６長さより大きいか又は等しい。
【００２４】
該パンツ本体が該畳まれた状態の時、該前当て布と該第１布体との間に第１収容空間を有し、該パンツ本体が該着用状態の時、該前当て布と該第１布体との間に第２収容空間を有し、該第２収容空間は該第１収容空間より大きい。
【００２５】
該パンツ本体が該畳まれた状態の時、該第１収容空間は該着用方向において該第１長さを有し、該開く方向において第１幅を有し、該パンツ本体が該着用状態に開いた時、該第２収容空間は該着用方向において該第４長さを有し、該開く方向において第２幅を有し、該第１長さは該第４長さより大きく、該第１幅が該第２幅より小さく、また該第１幅は該畳まれた状態の時、該開く方向において該前当て布から該第１布体までの最大距離とし、該第２幅が該着用状態の時、該開く方向において該前当て布から該第１布体までの最大距離とする。
【００２６】
該畳まれた状態は、該第１布体全体が該第２布体全に近くに寄せた状態であり、該第１布体が前身頃布であり、該第２布体が後身頃布である。
【００２７】
該第１布体は、少なくとも２つの通気部を備え、該通気部が該第１布体の該前当て布に対向する両側に設けられ、複数の通気孔を備え、該畳まれた状態の時、該通気部は該第１布体の前縁に露出され、該着用状態の時、該通気部が該第１布体の前縁及び底縁に露出される。
【００２８】
該前当て布は、該第１布体で形成された投影ゾーンにおいて少なくとも一部の該通気部をカバーする。
【００２９】
各該通気部は、第１縫着ライン及び第２縫着ラインを通じて該第１布体に縫製され、該第１縫着ラインの縫製曲率が該第２縫着ラインの縫製曲率より大きく、該第１縫着ラインと該第２縫着ラインが両端点に交差し、該通気部の該第２縫着ラインは該第１縫着ラインの外側に位置し、かつ該第１縫着ライン間の最小間隔が第１間隔となり、各該第１縫着ラインと対応する該第２縫着ラインとの間の最大間隔が第２間隔とし、該畳まれた状態の時、該着用方向において該第１布体の底縁から該第１布体の後縁までの距離は第７長さとし、該第１間隔の幅が該第２間隔の１．１〜２倍とし、かつ該第７長さが該第１間隔の長さの１〜２．５倍とする。
【００３０】
該前当て布は、弾性被覆部と２つの弾性帯とを含み、該弾性被覆部が弾性メッシュ生地であり、該弾性帯が各々該弾性被覆部の両側に縫製され、該第１接合側は該弾性被覆部の前縁に位置し、該第２接合側が該弾性被覆部の後縁に位置し、該弾性被覆部が該第１接合ゾーンと該第２接合ゾーンとの間に収めて円弧状ポケットを形成することで、男性器を包み込み、固定、支え、かつ該弾性帯の弾性係数は該弾性被覆部の弾性係数より大きい。
【００３１】
該第１距離の長さは、該第２距離の１．０５〜１．５倍とする。
【発明の効果】
【００３２】
また、本発明の前当て布は、例えば弾性メッシュ生地であり、かつ第１布体の前当て布に対向する両側に少なくとも２つの通気部が設けられる。よって、パンツ本体が畳まれた状態から着用状態に開いた時、前当て布と第１布体との間に適切な収容空間が形成される。該収容空間は、パンツに十分な空間を提供して性器を収納させる以外に、男性器の生理的な要因による変化時に必要な緩衝空間となることができ、従って股間の膨らみを目立たないようにさせる。前当て布の通気孔及び通気部の通気孔は、外部と空気の対流を行うことができることで、前当て布の通気効果を直接向上する。収容空間の設計は、パンツの外観から前当て布をあまり見えず、更に前当て布で包み込まれた男性器を見ることができない。よって、本発明の通気性設計は、個人的なプライバシーにも配慮できる。
【００３３】
言及すべき点は、本発明のパンツは、下着分野に応用できるだけでなく、スイムパンツ、スポーツパンツ等の様々なパンツにも応用でき、本発明はこれに限られるものではない。
【００３４】
以下に、添付図面及び具体的実施例を組み合わせて、本発明を詳細に説明するが、本発明を限定するものではない。
【図面の簡単な説明】
【００３５】
【図１Ａ】本発明の実施例に係るパンツの立体図である。
【図１Ｂ】図１Ａのパンツの前面図である。
【図２Ａ】図１Ａのパンツの別の角度から見た模式図である。
【図２Ｂ】図２Ａのパンツを裏返した後の模式図である。
【図３Ａ】図２Ａのパンツが畳まれた状態下の着用方向における断面図である。
【図３Ｂ】図３Ａのパンツが開く方向に沿って着用状態にまで開いた断面図である。
【図４】図１Ａの通気部が第１布体に配設された場合を示す模式図である。
【発明を実施するための形態】
【００３６】
当業者に本発明の技術内容をより理解させるため、以下に好ましい実施例を挙げて説明する。
【００３７】
図１Ａは、本発明の一実施例に係るパンツの立体図である。図１Ｂは、図１Ａのパンツの前面図である。図２Ａは、図１Ａのパンツの別の角度から見た模式図である。図２Ｂは、図２Ａのパンツを裏返した後の模式図である。図１Ａ、図１Ｂ、図２Ａ及び図２Ｂを参照すると、本実施例のパンツ１０は、パンツ本体１００と前当て布２００とを備える。パンツ本体１００は、第１布体１１０と第２布体１２０とを備える。本実施例において、第１布体１１０は例えば第２布体１２０と縫着ライン１０２に縫着され、かつウエスト開口部１３０及び左右のレッグ開口部１４０を構成する。よって、パンツ本体１００が着用状態の時、着用者の腿部がウエスト開口部１３０から着用方向Ａ１に沿っていずれかレッグ開口部１４０に向けて挿入できる。
【００３８】
また、本実施例の前当て布２００は、パンツ本体１００内に縫着される。詳細に言うと、前当て布２００は、第１接合側２００Ｅ１と第２接合側２００E２とを備える。第１接合側２００Ｅ１は、第１布体１１０内側上縁の第１接合ゾーンＲ１につなぎ合わせされる。第２接合側２００Ｅ２は、第２布体１２０の第２接合ゾーンＲ２につなぎ合わせされる。本実施例において、第２布体１２０の第２接合ゾーンＲ２は、第２布体１２０の後縁１２０Ｅ１に位置する。好ましい実施例において、前当て布２００は、効果的かつ安定的にパンツ本体１００内に縫製されるため、直接的又は間接的に第１布体１１０及び第２布体１２０に同時に縫着することで、縫着強度を増大できる。
【００３９】
前記に続き、本実施例の前当て布２００は、弾性被覆部２１０と２つの弾性帯２２０とを含む。弾性被覆部２１０は、通気孔を備えた弾性メッシュ生地であり、弾性帯２２０が各々弾性被覆部２１０の両側に縫製される。本実施例において、第１接合側２００Ｅ１は該弾性被覆部２１０の前縁２１２に位置し、該第２接合側２００Ｅ２が該弾性被覆部２1０の後縁２１４に位置し、該弾性被覆部２１０が該第１接合ゾーンＲ１と該第２接合ゾーンＲ２との間に収めて円弧状ポケットを形成する。言及すべき点は、弾性帯２２０の弾性係数は弾性被覆部２１０の弾性係数より大きいことで、前当て布２００に男性器を効果的に包み込み、固定、支えらせる。
【００４０】
本実施例において、第１布体１１０は、前身頃布であり、第２布体１２０が後身頃布であるため、第１布体１１０と第２布体１２０は縫着ライン１０２を通じて相互側縁を互いに縫着できる。言及すべき点は、本実施例の図面は、下着を例にして説明されているが、本発明のパンツは下着分野に応用できる以外に、スイムパンツ、スポーツパンツ等の様々なパンツ上への応用が可能であるため、本発明はこれに限られるものではない。
【００４１】
図３Ａは、図２Ａのパンツが畳まれた状態下の着用方向における断面図である。図３Ｂは、図３Ａのパンツが開く方向に沿って着用状態までに開いた断面図である。前記からも分かるように、本実施例の第２接合ゾーンＲ２は、第２布体１２０の後縁１２０Ｅ１に位置する。更に図３Ａ及び図３Ｂからも分かるように、本実施例において、第２布体１２０の後縁１２０Ｅ１に前当て布２００の第２接合側２００Ｅ２及び該第１布体１１０の後縁１１０Ｅ１が縫着される。すなわち、本実施例において、前当て布２００の第２接合側２００Ｅ２を該第１布体１１０の後縁１１０Ｅ１及び第２布体１２０の後縁１２０Ｅ１と互いに縫着させることで、前当て布２００により安定した包み込み、固定、支え効果を提供させることができる。
【００４２】
引き続き図３Ａ及び図３Ｂを参照すると、本実施例において、第２接合ゾーンＲ２からパンツ本体１００表面に沿って第１布体の上縁１１２までの距離を第１距離Ｄ１（細破線で図３Ａ及び図３Ｂ内に示す）とし、前当て布２００の第１接合側２００Ｅ１の縫着に供するため、第１接合ゾーンＲ１は第１布体の上縁１１２に位置する。また、第２接合ゾーンＲ２からパンツ本体１００の表面に沿って第２布体の上縁１２２までの距離を第２距離Ｄ２とする（太破線で図３Ａ及び図３Ｂ内に示す）。同様に、本発明の各種特徴を明確に示すため、本実施例では次のように定義する：畳まれた状態（図３Ａ）において、第１布体１１０の着用方向Ａ１における底縁１１４からウエスト開口部１３０までの距離を第１長さＬ１とし；第２布体１２０の着用方向Ａ１における底縁１２４からウエスト開口部１３０までの距離を第２長さＬ２とし；着用方向Ａ１において第２接合ゾーンＲ２からウエスト開口部１３０までの距離を第３長さＬ３とする。
【００４３】
また、パンツ本体１００が畳まれた状態から開く方向Ａ２に沿って着用状態までに開いた時（図３Ｂ）、第１布体１１０の着用方向Ａ１における底縁１１４からウエスト開口部１３０までの距離を第４長さＬ４とし；第２布体１２０の着用方向Ａ１における底縁１２４からウエスト開口部１３０までの距離を第５長さＬ５とし；着用方向Ａ１において第２接合ゾーンＲ２からウエスト開口部１３０までの距離を第６長さＬ６とする。本実施例において、着用方向Ａ１は、実質的に開く方向Ａ２と互いに垂直になる。
【００４４】
前記に続き、本実施例の畳まれた状態は、第１布体１１０全体が第２布体１２０全体に近くに寄せる状態であり、着用状態が着用者に着用させる状態である。図面内で明確に本発明のパンツの畳まれた状態における技術的特徴を呈露するため、図３Ａに示す第１布体１１０及び第２布体１２０は、完全密着方式で描かれないものとする。図３Ａに示す第１布体１１０は、着用状態（図３Ｂ）の位置に比べて第２布体１２０に近く、図３Ａに示す第１布体１１０と第２布体１２０と前当て布２００との間に適切な空間を存在させることで本発明の技術的特徴を呈露する。すなわち、図面は実施例を説明しただけであるが、本発明はこれに限られるものではない。
【００４５】
言及すべき点は、本実施例において第１距離Ｄ１（第２接合ゾーンＲ２からパンツ本体１００表面に沿って第１布体の上縁１１２までの距離）は、第２距離Ｄ２（第２接合ゾーンＲ２からパンツ本体１００表面に沿って該第２布体の上縁１２２までの距離）より大きさせている。第１距離Ｄ１の長さは、第２距離Ｄ２の１．０５〜１．５倍であることが好ましい。また、本実施例においてパンツ本体１００が畳まれた状態の時（図３Ａ）、第１長さＬ１を第２長さＬ３より大きくさせ、パンツ本体１００が畳まれた状態から開く方向Ａ２に沿って着用状態までに開いた時（図３Ｂ）、第４長さＬ４を第６長さＬ６より大きいか又は等しい。よって、着用者が着用した後、前当て布２００と第１布体１１０との間に比較的大きな空間が存在することで、良好な通気効果を持つ。
【００４６】
詳細に言うと、本実施例において、パンツ本体１００が畳まれた状態の時、前当て布２００と第１布体１１０との間に第１収容空間Ｓ１を有する。第１収容空間Ｓ１は、着用方向Ａ１において第１長さＬ１を有し、また開く方向Ａ２においても第１幅Ｗ１を有し、第１幅Ｗ１が開く方向Ａ２において前当て布２００から第１布体１１０までの最大距離である。また、パンツ本体１００が着用状態の時、前当て布２００と第１布体１１０との間に第２収容空問Ｓ２を有する。第２収容空間Ｓ２は、着用方向Ａ１において第４長さＬ４を有し、また開く方向Ａ２において第２幅Ｗ２を有し、第２幅Ｗ２が開く方向Ａ２において前当て布２００から第１布体１１０までの最大距離である。
【００４７】
特に、本実施例において、第１長さＬ１は、第４長さＬ４より略大きく、第１幅Ｗ１が第２幅Ｗ２より明らかに小さい。よって、パンツ本体１００の着用状態における第２収容空間Ｓ２は、パンツ本体１００の畳まれた状態における第１収容空間Ｓ１より明らかに大きく、従って着用者が本実施例のパンツを着用した後、前当て布２００と第１布体１１０との間にやはり比較的大きな空間を存在させることで、良好な的な通気効果を持たせることができる。
【００４８】
好ましい実施例において、パンツ本体１００が畳まれた状態の時、第１長さＬ１は、第２長さＬ２より大きく、かつ第２長さＬ２が第２長さＬ３より大きいか又は等しい。また、パンツ本体１００が着用状態の時、第４長さＬ４は、第５長さＬ５より大きいか又は等しく、かつ第５長さＬ５が第６長さＬ６より大きいか又は等しい。更に、畳まれた状態或いは着用状態を問わず、本発明は第１布体１１０の底縁１１４からウエスト開口部１３０までの距離（第１長さＬ１／第４長さＬ４）及び第２接合ゾーンＲ２からウエスト開口部１３０までの距離（第３長さＬ３／第６長さＬ６）の制御を通じてパンツ１０に良好な通気効果を持たせることができる以外に、同時に第２布体１２０の底縁１２４からウエスト開口部１３０までの距離（第２長さＬ２／第５長さＬ５）の制御を通じてパンツ１０の第２布体１２０で着用者の臀部に良好な快適感を与えるため、より全体的及び全面的な設計となる。
【００４９】
本実施例の前当て布を備えたパンツに良好な通気効果を持たせるため、本実施例では、第１布体１１０に少なくとも２つの通気部１１６が更に設けられることができる。本実施例において、第１布体１１０は、２つの通気部１１６を例にすると、これら通気部１１６が第１布体１１０の前当て布２００に対向する両側に設けられ、かつ各通気部１１６が複数の通気孔０を備える。更に、畳まれた状態の時、これら通気部１１６が第１布体１１０の前縁１１８に露出される。着用状態の時、これら通気部１１６が第１布体１１０の前縁１１８に露出する以外に、第１布体１１０の底縁１１４にも露出する。こうして、着用者が着用した後、第１布体１１０の前縁１１８及び底縁１１４に露出する通気部１１６は上記第２収容空間を通じて、前当て布が包み込む性器への空気の対流を提供することで、放熱及び排汗の効果を奏する。言い換えると、本実施例は第１布体１１０の前縁１１８及び底縁１１４に通気部１１６を配置することで、パンツ１０に良好な通気性能を持たせることが好ましい。
【００５０】
これ以外に、第１布体１１０及び第２部体１２０は、弾性材質とすることもできる。着用者が着用した後、第１布体１１０に配置された通気部１１６もその通気範囲を更に適切に伸ばし、従って全面的にパンツ本体の通気性能を向上できる。また、本実施例の前当て布２００は、畳まれた状態において第１布体１１０で形成された投影ゾーンＺにおいて少なくとも一部の通気部１１６をカバーする。すなわち、本実施例において、上記通気部１１６の配置位置は、完全に性器を包み込む前当て布２００と重なることはない。よって、パンツの外観から直接前当て布を直接見えにくく、更に前当て布で包み込んでいる男性器も見えない。次に、本実施例は、第１布体の通気部１１６と該前当て布２００との間に第２収容空間Ｓ２が設けられるため、パンツ１０の外観からから直接前当て布を直接見えにくく、更に前当て布で包み込んでいる男性器も見えない。そのため、本発明の通気部の設計は、良好な通気性能を持つ以外に、個人のプライバシーにも配慮する設計となっている。
【００５１】
別の好ましい実施例において、畳まれた状態の時通気部１１６の配置位置は、性器を包み込む前当て布２００と重なることもできる。この実施例において、着用者が着用している時、空間ずれを通じて第１布体の通気部１１６は、やはり完全に前当て布２００の通気孔と直接対応しない。同様に、本実施例のパンツの外観から前当て布を直接見難くなっている。当然、パンツ本体１００及び前当て布２００の色も黒色又は他の濃い色とすることもできるため、個人的なプライバシーを大幅に向上させる設計とすることができる。当然、パンツ本体１００及び前当て布２００は、同色を用いることもできることで、パンツ本体１００内の前当て布２００が通気部１１６から容易に見られないようにさせる。
【００５２】
次に、本実施例は、通気部１１６と第１布体１１０の接合関係について更に説明する。図４は、図１Ａの通気部が第１布体に配置さえた場合を示す模式図である。図４を参照すると、本実施例において、各通気部１１６は、第１縫着ライン１１６Ａ及び第２縫着ライン１１６Ｂを通じて第１布体１１０に縫製される。第１縫着ライン１１６Ａの縫製曲率Ｃ１は、第２縫着ライン１１６Ｂの縫製曲率Ｃ２より大きく、第１縫着ライン１１６Ａと第２縫着ライン１１６Ｂが両端点Ｐ１／Ｐ２に交差し、またこれら通気部１１６の第２縫着ライン１１６Ｂがこれら第１縫着ライン１１６Ａの外側に位置する。端点Ｐ１は、第１布体の前縁１１８に位置し、端点Ｐ２が第１布体の底縁１１４に位置する。これ以外に、これら第１縫着ライン１１６Ａ間の最小間隔は、第１間隔Ｇ１であり、各第１縫着ライン１１６Ａと対応する第２縫着ライン１１６Ｂとの間の最大間隔が第２間隔Ｇ２であり、第１間隔Ｇ１の幅が第２間隔Ｇ２の１．１〜２倍とする。該幅の比率の設計は、性器全体の良好な通気性を確保し、かつ前当て布による性器の固定と支持効果及び個人的なプライバシーにも配慮できる。
【００５３】
また、端点Ｐ２から第１布体１１０の後縁１１０Ｅ１までの距離は、第３間隔Ｇ３であり、第１間隔Ｇ１の幅が第３間隔Ｇ３の３〜６倍とする。これ以外に、畳まれた状態において、着用方向Ａ１において第１布体１１０の底縁１１４から第１布体１１０の後縁１１０Ｅ１までの距離は、第７長さＬ（図３Ａ）とし、第７長さＬ７の長さが第１間隔Ｇ１の長さの１〜２．５倍とする。好ましい実施例において、第７長さＬ７は第１間隔Ｇ１の長さの１．５倍とすることが好ましい。同様に、上記幅の比率の設計は性器全体の良好な通気性を確保し、かつ前当て布による性器の固定と支持効果及び個人的なプライバシーにも配慮できる。
【００５４】
上記実施例は、第１布体１１０、第２布体１２０及び前当て布２００の相互縫着を通じて、前当て布２００を安定的にパンツ本体１００内に縫製させるが、別の好ましい実施例において、前当て布２００の第２接合側２００Ｅ２は、第１布体１１０と互いに縫着することなく、第２布体１２０の内側底縁に直接縫着できる。更に、本実施例において、第１布体１１０と第２布体１２０の縫着部が、パンツ本体１００表面に沿って第１布体上縁１１２までの距離は、第１布体１１０と第２布体１２０の縫着部からパンツ本体１００表面に沿って第２布体の上縁１２２までの距離に等しく、前当て布２００の第２接合側２００Ｅ２が第１布体１１０と第２布体１２０の縫着部の後方に縫着される。好ましくは、前当て布２００の第２接合側２００Ｅ２を第１布体１１０と第２布体１２０の縫着部の後方に縫着する距離は、第１間隔Ｇ１より大きいか又は等しい。更に本実施例の第２接合側２００Ｅ２から第１布体１１０と第２布体１２０の縫着部までの距離は、第１間隔Ｇ１の長さの１〜２．５倍とすることができる。
【００５５】
上記第１布体１１０の後縁１１０Ｅ１、第２布体１２０の後縁１２０Ｅ１及び前当て布２００の第２接合側２００Ｅ２が互いに縫着されていない実施例において、本発明は同様に前記実施例で定義する第１距離Ｄ１が第２距離Ｄ２より大きい及び関連の通気設計を通じて前当て布２００を備えたパンツに同一の効果を持たせることできるため、ここでその説明を省略する。
【００５６】
また、本発明は、第１布体、第２布体及び前当て布間の接合設計を制御することによってパンツの通気性を向上すると共に男性器に快適な収容空間を提供し、従来技術のように陰嚢ポケットを追加縫製する必要もない。よって本発明は、製造コストを削減できる。
【産業上の利用可能性】
【００５７】
上述をまとめると、本発明は、パンツ本体内に該第１布体の内側上縁及び該第２布体に接合する前当て布が設けられ、また該前当て布の該第２布体における接合部を第２接合ゾーンと定義する。前記前当て布は、男性器を固定、支持するために用いられる。また本発明は、第２接合ゾーンから該パンツ本体表面に沿って該第１布体の上縁までの距離が第２接合ゾーンから該パンツ本体表面に沿って該第２布体の上縁までの距離より大きくさせる。よって、パンツ本体が畳まれた状態から着用状態に開いた時、該前当て布と第１布体との間に適切な収容空間が形成される。該収容空間は、パンツに十分な空間を提供して性器を収納させる以外に、男性器の生理的な要因による変化時に必要な緩衝空間となることができ、従って股間の膨らみを目立たないようにさせる。
【００５８】
本発明の前当て布は、複数の通気孔を備えた弾性メッシュ生地であり、男性器全体の通気効果を提供できる。また、本発明は、前当て布と第１布体に適切な収容空間が設計られることで放熱を提供する以外に、該第１布体の該前当て布に対向する両側に少なくとも２つの通気部も設けられ、それら通気部も同様に複数の通気孔を備える。こうして本発明は、前当て布の通気孔、前当て布と第１布体との間の収容空間及び通気部の通気孔を通じて外界と空気の対流を行うことができる。本発明に係るパンツ設計は、外部と連通する通気空間を有するため、本発明は、性器全体の良好な通気性を確保できる。
【００５９】
次に、該第１布体の通気孔と該前当て布の通気孔との間に収容空間を設計するため、パンツの外観から前当て布をあまり見えず、更に前当て布で包み込まれた男性器を見ることができない。よって、本発明の通気性設計は、個人的なプライバシーにも配慮できる。更に、本発明のパンツは、下着分野に応用できる以外に、スイムパンツ、スポーツパンツ等の様々なパンツにも応用でき、従って性器全体の通気性、性器の固定と支持機能及び低製造コストも兼ね備えるパンツを着用者に着用してもらい、更に性器を納める十分な収納空間を提供できることで、男性着用者が男性の生理的な要因により、股間の膨らみが目立つという状況を解決できる。
【００６０】
なお、本発明は更にその他の様々な実施例があり、当該技術を熟知する者なら誰でも本発明の精神及びその実質的な状況を脱しない範囲内で各種の変更や変形を加えることができるが、これら変更や変形は、本発明の特許請求の範囲に属する。
【符号の説明】
【００６１】
１０            パンツ
１００          パンツ本体
１０２          縫着ライン
１１０          第１布体
１１０Ｅ１      第１布体の後縁
１１２          第１布体の上縁
１１４          第１布体の底縁
１１６          通気部
１１６Ａ        第１縫着ライン
１１６Ｂ        第２縫着ライン
１１８          第１布体の前縁
１２０          第２布体
１２０Ｅ１      第２布体の後縁
１２４          第２布体の底縁
１３０          ウエスト開口部
１４０          レッグ開口部
２００          前当て布
２００Ｅ１      第１接合側
２００Ｅ２      第２接合側
２１０          弾性被覆部
２１２          弾性被覆部の前縁
２１４          弾性被覆部の後縁
２２０          弾性帯
Ａ１            着用方向
Ａ２            開き方向
Ｃ１、Ｃ２      縫製曲率
Ｄ１            第１距離
Ｄ２            第２距離
Ｇ１            第１間隔
Ｇ２            第２間隔
Ｇ３            第３間隔
Ｌ１            第１長さ
Ｌ２            第２長さ
Ｌ３            第２長さ
Ｌ４            第４長さ
Ｌ５            第５長さ
Ｌ６            第６長さ
Ｌ７            第７長さ
０              通気孔
Ｐ１、Ｐ２      端点
Ｒ１            第１接合ゾーン
Ｒ２            第２接合ゾーン
Ｓ１            第１収容空間
Ｓ２            第２収容空間
Ｗ１            第１幅
Ｗ２            第２幅
Ｚ              投影ゾーン
【図１Ａ】
2019502841.tif 000003
【図１Ｂ】
2019502841.tif 000004
【図２Ａ】
2019502841.tif 000005
【図２Ｂ】
2019502841.tif 000006
【図３Ａ】
2019502841.tif 000007
【図３Ｂ】
2019502841.tif 000008
【図４】
2019502841.tif 000009
【国際調査報告】
2019502841.tif 000010
2019502841.tif 000011
2019502841.tif 000012
2019502841.tif 000013
2019502841.tif 000014